(57)【要約】【課題】取り外しが容易な蓋体及び容器体を提供する。【解決手段】蓋体６１の蓋本体６１ａの周縁部に起立壁７１を全周に渡って形成し、蓋体６１を容器本体に取り付けた状態で起立壁７１を容器本体に密着させる。起立壁７１端部に、容器本体の周壁を乗り越えて周壁の外側へ延出する外方延出部８１を全周に渡って形成し、外方延出部８１周縁より下方へ延出する下方延出部９１を全周に渡って形成する。蓋本体６１ａの角部１０１にタブ１０２を設ける。タブ１０２を、外方延出部８１から連続して延出した延出片１０３と、延出片１０３の縁部より下方に延出する補強部１０４で構成する。補強部１０４の一端を短辺６２側の下方延出部９１に連設し、他端を長辺６３側の下方延出部９１に連設する。【選択図】        図７
2005001735.tif 000002
【特許請求の範囲】
【請求項１】
容器本体の開口部を閉鎖した状態で前記容器本体の周壁を乗り越えて該周壁の外側へ延出する外方延出部と、該外方延出部より下方へ延出する下方延出部とが蓋本体に設けられ、該下方延出部に外側へ突出するタブが設けられた蓋体であって、
前記タブを、前記外方延出部から連続して延出した延出片と、該延出片の縁部より下方に延出する補強部とで構成し、該補強部を前記下方延出部に連設したことを特徴とする蓋体。
【請求項２】
前記外方延出部の内側に、下方へ延出して前記容器本体の周壁の内面に密接される内嵌合部を形成したことを特徴とする請求項１記載の蓋体。
【請求項３】
前記蓋本体を多角形状に形成するとともに、前記タブを前記蓋本体の角部に設定し、前記補強部の各端部を前記角部で交わる各辺の前記下方延出部に連設したことを特徴とする請求項２記載の蓋体。
【請求項４】
容器本体の開口部を閉鎖する蓋体の蓋本体に、前記容器本体の周壁を乗り越えて該周壁の外側へ延出する外方延出部と、該外方延出部より下方へ延出する下方延出部とが設けられ、該下方延出部に外側へ突出するタブが設けられた容器体であって、
前記タブを、前記外方延出部から連続して延出した延出片と、該延出片の縁部より下方に延出する補強部とで構成し、該補強部を前記下方延出部に連設したことを特徴とする容器体。
【請求項５】
前記外方延出部の内側に、下方へ延出して前記容器本体の周壁の内面に密接される内嵌合部を形成したことを特徴とする請求項４記載の容器体。
【請求項６】
前記容器本体及び前記蓋本体を多角形状に形成するとともに、前記タブを前記蓋本体の角部に設定し、前記補強部の各端部を、前記角部で交わる各辺の前記下方延出部に連設したことを特徴とする請求項５記載の容器体。
【発明の詳細な説明】
【０００１】
【発明の属する技術分野】
本発明は、容器体の蓋体及び容器体に関し、詳しくは、食品やその他の物品の保存、収納に用いられる蓋体及び容器体に関する。
【０００２】
【従来の技術】
従来、食品を保存する際には、容器体が使用されていた（例えば、特許文献１参照。）。
【０００３】
この容器体は、食品を収容する容器本体と、該容器本体の開口部を閉鎖する蓋体とによって構成されており、食品を収容した容器本体を密閉できるように構成されている。
【０００４】
また、前記容器体の縁部には、外側へ突出するタブが設けられており、該タブには、複数のリブが並設されている。これにより、蓋体を外す際に摘まれるタブを補強できるように構成されている。
【０００５】
【特許文献１】
特表２００２−５１８２６３号公報
【０００６】
【発明が解決しようとする課題】
しかしながら、このような従来の容器体にあっては、蓋体のタブを引き上げて取り外す際に、その操作力が蓋本体と各リブとの突合せ部分に集中してしまい、当該タブが各リブの基端側に沿って折れ曲がることがあった。
【０００７】
これにより、蓋体が外しにくくなるという問題点があった。
【０００８】
本発明は、このような従来の課題に鑑みてなされたものであり、蓋本体の取り外しが容易な蓋体及び容器体を提供することを目的とするものである。
【０００９】
【課題を解決するための手段】
前記課題を解決するために本発明の請求項１の蓋体にあっては、容器本体の開口部を閉鎖した状態で前記容器本体の周壁を乗り越えて該周壁の外側へ延出する外方延出部と、該外方延出部より下方へ延出する下方延出部とが蓋本体に設けられ、該下方延出部に外側へ突出するタブが設けられた蓋体であって、前記タブを、前記外方延出部から連続して延出した延出片と、該延出片の縁部より下方に延出する補強部とで構成し、該補強部を前記下方延出部に連設した。
【００１０】
すなわち、蓋本体に設けられたタブは、容器本体の周壁の外側へ延出する外方延出部に連続した延出片と、該延出片の縁部より下方に延出する補強部とで構成されており、この補強部は、外方延出部より下方へ延出する下方延出部に連設されている。
【００１１】
このため、当該タブの操作力を蓋本体に伝達する延出片は、当該延出片の縁部より下方に延出する補強部によって補強される。このとき、この補強部は、蓋本体の外周部に延在した下方延出部に連設されている。このため、当該タブの不用意な折れ曲がりが防止される。
【００１２】
そして、当該タブの操作力は、前記蓋本体の外周部に延在する前記下方延出部へ直接伝達される。
【００１３】
また、請求項２の蓋体においては、前記外方延出部の内側に、下方へ延出して前記容器本体の周壁の内面に密接される内嵌合部を形成した。
【００１４】
すなわち、蓋本体の内嵌合部が容器本体周壁の内面に密接した状態で、容器本体の密閉性が保たれる。
【００１５】
さらに、請求項３の蓋体では、前記蓋本体を多角形状に形成するとともに、前記タブを前記蓋本体の角部に設定し、前記補強部の各端部を前記角部で交わる各辺の前記下方延出部に連設した。
【００１６】
このため、タブを直線部分に設ける場合と比較して、補強部と下方延出部との連設部分での交差角度を小さくすることができる。
【００１７】
そして、本発明の請求項４の容器体にあっては、容器本体の開口部を閉鎖する蓋体の蓋本体に、前記容器本体の周壁を乗り越えて該周壁の外側へ延出する外方延出部と、該外方延出部より下方へ延出する下方延出部とが設けられ、該下方延出部に外側へ突出するタブが設けられた容器体であって、前記タブを、前記外方延出部から連続して延出した延出片と、該延出片の縁部より下方に延出する補強部とで構成し、該補強部を前記下方延出部に連設した。
【００１８】
すなわち、蓋体の蓋本体に設けられたタブは、容器本体の周壁の外側へ延出する外方延出部に連続した延出片と、該延出片の縁部より下方に延出する補強部とで構成されており、この補強部は、外方延出部より下方へ延出する下方延出部に連設されている。
【００１９】
このため、当該タブの操作力を蓋本体に伝達する延出片は、当該延出片の縁部より下方に延出する補強部によって補強される。このとき、この補強部は、蓋本体の外周部に延在した下方延出部に連設されている。このため、当該タブの不用意な折れ曲がりが防止される。
【００２０】
そして、当該タブの操作力は、前記蓋本体の外周部に延在する前記下方延出部へ直接伝達される。
【００２１】
また、請求項５の容器体においては、前記外方延出部の内側に、下方へ延出して前記容器本体の周壁の内面に密接される内嵌合部を形成した。
【００２２】
すなわち、蓋体の蓋本体の内嵌合部が容器本体周壁の内面に密接した状態で、容器本体の密閉性が保たれる。
【００２３】
さらに、請求項６の容器体では、前記容器本体及び前記蓋本体を多角形状に形成するとともに、前記タブを前記蓋本体の角部に設定し、前記補強部の各端部を、前記角部で交わる各辺の前記下方延出部に連設した。
【００２４】
このため、タブを直線部分に設ける場合と比較して、補強部と下方延出部との連設部分での交差角度を小さくすることができる。
【００２５】
【発明の実施の形態】
以下、本発明の一実施の形態を図に従って説明する。図１には、本実施の形態にかかる容器体１を示す図であり、この容器体１は、物品としての食品などを保存する際に使用されるものである。なお、容器体１の用途としては、食品の保存のみならず、文房具、おもちゃ、その他の物品の収納に利用しても良い。
【００２６】
この容器体１は、物品を収容する容器本体１１を備えている。該容器本体１１は、図２及び図３にも示すように、上方に開口した容器状に形成されており、透明性を有したプラスチックシートが金型によって上下からプレスされて形成されている。
【００２７】
該容器本体１１は、対向した短辺２１，２１及び対向した長辺２２，２２を有する平面視多角形状である長方形状の底面２３と、該底面２３の各辺２１，２１，２２，２２に起立する側壁２４，・・・で構成された周壁２５とによって形成されている。該周壁２５の上部には、外側へ延出する段部２６が全周に渡って形成されており、該段部２６より上方には、大径部２７が形成されている。該大径部２７の上端部には、外側へ折曲した折曲部２８が全周に渡って形成されており、該折曲部２８の端部からは、下方へ延出した垂下部２９が全周に渡って形成されている。これにより、当該容器本体１１の上部開口部３１の開口縁には、下方へ向けて開口する本体折返し部３２が全周に渡って形成されている。
【００２８】
前記周壁２５を構成する各側壁２４，・・・の下縁は、それぞれ中央部が上方へ後退したアーチ状に形成されており、各側壁２４，・・・の下縁に連設された前記底面２３の各辺２１，２１，２２，２２には、両端部が下方へ突出するアーチ状のアーチ部４１，・・・が形成されている。これにより、隣接するアーチ部４１，４１の端部が交差する前記底面２３の各角部４２，・・・には、下方へ膨出した突出部４３，・・・が形成されており、当該容器本体１１を載置面４４に載置した状態で、該載置面４４と前記底面２３との間に空気が通流する通流空間４５を確保できるように構成されている。
【００２９】
前記底面２３には、図１に示したように、前記各アーチ部４１，・・・で包囲された平坦な長方形状の平坦領域５１が形成されており、該平坦領域５１の四隅には、円形の凸部５２，・・・が形成されている。各凸部５２，・・・は、図２及び図３に示したように、下方へ向けて突出する球面状に形成されており、これらの凸部５２，・・・によって、前記底面２３の平坦領域５１には、凹凸が形成されている。
【００３０】
この容器体１は、図４及び図５に示すように、蓋体６１を備えており、該蓋体６１によって前記容器本体１１の上部開口部３１を開閉自在に閉鎖できるように構成されている。この蓋体６１の蓋本体６１ａも前記容器本体１１に対応し、対向する短辺６２，６２と対向する長辺６３，６３とを有した平面視多角形状である長方形状に形成されており、透明性を有したプラスチックシートが金型によって上下からプレスされて形成されている。
【００３１】
この蓋体６１の蓋本体６１ａの周縁部には、図５及び図６の（ａ）にも示すように、上方へ起立する内嵌合部としての起立壁７１が全周に渡って形成されており、当該蓋体６１を前記容器本体１１に取り付けた状態で、この起立壁７１が前記容器本体１１上部の大径部２７に内嵌して密着するように構成されている（図８参照）。これにより、前記容器本体１１は、気密性及び水密性が維持されるように構成されている。
【００３２】
前記起立壁７１の端部からは、前記容器本体１１の周壁２５を乗り越えて該周壁２５の外側へ延出する外方延出部８１が全周に渡って形成されており、当該蓋体６１を前記容器本体１１に取り付けた状態で、この外方延出部８１が、前記容器本体１１上端部の前記折曲部２８に密接するように構成されている。
【００３３】
この外方延出部８１の周縁からは、下方へ延出する下方延出部９１が全周に渡って形成されており、当該蓋体６１の蓋本体６１ａの外周部には、下方へ開口した蓋側折返し部９２が全周に渡って形成されている。これにより、この蓋体６１を容器本体１１に取り付けた状態で、当該蓋側折返し部９２が前記容器本体１１の本体折返し部３２に外嵌することで、当該蓋体６１の不用意な離脱を防止できるように構成されている。
【００３４】
この蓋本体６１ａの短辺６２，６２と長辺６３，６３とが交わる角部１０１には、図４にも示したように、外周部へ延出するタブ１０２が一体形成されている。該タブ１０２は、図６の（ｂ）に示すように、前記外方延出部８１から連続して面一に延出した半円形状の延出片１０３と、該延出片１０３の縁部より下方に延出する補強部１０４とによって構成されている。
【００３５】
この補強部１０４の一端は、図７にも示すように、前記短辺６２を構成する前記下方延出部９１に連続して形成されており、その他端は、前記長辺６３を構成する前記下方延出部９１に連続して形成されている。これにより、蓋本体６１ａの短辺６２を構成する下方延出部９１は、前記補強部１０４を介して、前記長辺６３を構成する下方延出部９１に連設されており、当該補強部１０４は、蓋本体６１ａの外周部にリング状に形成された前記下方延出部９１の一部を構成している。
【００３６】
そして、前記蓋本体６１ａの中央部には、長方形状に上方へ膨出した平坦な中央膨出部１１１が形成されており、該中央膨出部１１１の四隅には、球面状に下方へ没入した円形の凹部１１２，・・・が形成されている。各凹部１１２，・・・は、前記容器本体１１の底面２３に形成された凸部５２，・・・と合致する位置に設けられており、容器本体１１を蓋体６１で閉鎖した容器体１を、図８にも示すように、積み重ねた状態で、上段の容器体１の容器本体１１に形成された凸部５２，・・・が、下段の容器体１の蓋体６１に形成された凹部１１２，・・・に位置決めされるように構成されている。
【００３７】
以上の構成にかかる本実施の形態において、蓋体６１で閉鎖された容器本体１１の上部開口部３１を開放する際には、側方へ突出したタブ１０２を指で摘み、上方へ引き上げる。
【００３８】
このとき、このタブ１０２は、容器本体１１の周壁２５の外側へ延出する外方延出部８１に連続して延出した延出片１０３と、該延出片１０３の縁部より下方に延出する補強部１０４とで構成されており、この補強部１０４は、前記外方延出部８１より下方へ延出した下方延出部９１に連設されている。このため、当該タブ１０２の操作力を蓋体６１の蓋本体６１ａに伝達する前記延出片１０３を、当該延出片１０３の縁部より下方に延出した前記補強部１０４によって補強することができる。
【００３９】
したがって、タブ１０２の延出片１０３に複数のリブを形成すること無く、当該タブ１０２を補強して不用意な折れ曲がりを防止することができる。これにより、タブの操作力が各リブと蓋本体との突合せ部分に集中し、タブが各リブの基端側に沿って折れ曲がるといった問題点の発生を防止することができる。
【００４０】
また、前記補強部１０４は、蓋本体６１ａの外周部に延在する下方延出部９１に連設されている。このため、タブ１０２の延出片１０３の形状を平坦でシンプルな形状としながらも、所定の剛性を確保することができ、プレス加工時での製造容易性を高めることができる。
【００４１】
そして、当該タブ１０２の操作力を、前記蓋本体６１ａの外周部に全周に渡って形成された前記下方延出部９１へ直接伝達することができる。このため、タブの操作力がタブの基端部を介して蓋本体に伝達される場合と比較して、蓋体６１の取り外し容易性を高めることができる。
【００４２】
また、前記外方延出部８１の内側には、下方へ延出して前記容器本体１１の周壁２５の内面に密接される内嵌合部としての起立壁７１が形成されている。このため、蓋本体６１ａの前記起立壁７１を容器本体１１周壁２５の内面に密接させた状態で、容器本体１１の密閉性を確保することができる。
【００４３】
よって、蓋本体６１ａの外周部に延在した下方延出部９１を容器本体１１に外嵌して密着させる場合と比較して、外方へ突出したタブ１０２の内側に前記下方延出部９１を設けること無く、気密性を維持することができる。これにより、構成の簡素化を図ることができる。
【００４４】
さらに、前記タブ１０２を蓋本体６１ａの角部１０１に設定し、タブ１０２の補強部９１の各端部を前記角部１０１で交わる各辺６２，６３の下方延出部９１に連設したため、タブ１０２を各辺６２，６３の直線部分に設ける場合と比較して、補強部１０４と下方延出部９１との連設部分での交差角度を小さくすることができる。
【００４５】
これにより、前記補強部１０４と前記下方延出部９１との連設部分での強度を高めることができる。
【００４６】
【発明の効果】
以上説明したように本発明の請求項１の蓋体及び請求項４の容器体にあっては、蓋体の蓋本体より突出したタブを、タブの延出片より下方に延出するとともに、前記蓋本体の下方延出部に連設された補強部で補強することができる。
【００４７】
これにより、タブの延出片に複数のリブを形成すること無く、当該タブを補強することができため、タブの操作力が、各リブと蓋本体との突合せ部分に集中し、タブが各リブの基端側に沿って折れ曲がるといった問題点の発生を防止することができる。また、前記補強部は、蓋本体の外周部に延在する下方延出部に連設されている。このため、タブの延出片の形状をシンプルにしつつ剛性を確保することができるので、製造が容易となる。
【００４８】
そして、当該タブの操作力を、前記蓋本体の外周部に延在する前記下方延出部へ直接伝達することができる。このため、タブの操作力がタブの基端部を介して蓋本体に伝達される場合と比較して、蓋体の取り外し容易性を向上することができる。
【００４９】
また、請求項２の蓋体及び請求項５の容器体においては、蓋本体の内嵌合部を容器本体周壁の内面に密接した状態で、容器本体の密閉性を確保することができる。
【００５０】
よって、蓋本体の外周部に延在した下方延出部を容器本体に外嵌して密着させる場合と比較して、外方へ突出したタブの内側に前記下方延出部を設けること無く、気密性を維持することができる。これにより、構成の簡素化を図ることができる。
【００５１】
さらに、請求項３の蓋体及び請求項６の容器体では、タブを蓋本体の角部に設定し、タブの補強部の各端部を角部で交わる各辺の下方延出部に連設したため、タブを直線部分に設ける場合と比較して、補強部と下方延出部との連設部分での交差角度を小さくすることができる。
【００５２】
これにより、前記補強部と前記下方延出部との連設部分での強度を高めることができる。
【図面の簡単な説明】
【図１】本発明の一実施の容器本体を示す平面図である。
【図２】同実施の形態の容器本体の側面を示す一部断面図である。
【図３】同実施の形態の容器本体の正面を示す一部断面図である。
【図４】同実施の蓋体を示す平面図である。
【図５】同実施の形態の蓋体を示す断面図である。
【図６】同実施の形態の蓋体の要部を示す図で、（ａ）は図４のＡ−Ａ断面図であり、（ｂ）は図４のＢ−Ｂ断面図である。
【図７】同実施の蓋体を示す底面図である。
【図８】同実施の形態の利用形態を示す一部断面図である。
【符号の説明】
１    容器体
１１    容器本体
２５    周壁
３１    上部開口部
６１    蓋体
６１ａ  蓋本体
６２    短辺
６３    長辺
７１    起立壁
８１    外方延出部
９１    下方延出部
１０１    角部
１０２    タブ
１０３    延出片
１０４    補強部
【図１】
2005001735.tif 000003
【図２】
2005001735.tif 000004
【図３】
2005001735.tif 000005
【図４】
2005001735.tif 000006
【図５】
2005001735.tif 000007
【図６】
2005001735.tif 000008
【図７】
2005001735.tif 000009
【図８】
2005001735.tif 000010